(57)【要約】【課題】ドメインネーム・システムに関し、特にＰＰＰを利用してダイヤルアップ接続した端末に割り当てられるＩＰアドレスと連動するダイナミック・ドメインネーム・システムを提供する。【解決手段】ＰＰＰ接続環境におけるダイナミック・ドメインネーム・システムであって、ダイヤルアップ接続したユーザのアカウントと前記ユーザに割り当てたＩＰアドレスとの第１の対応情報を管理する手段と、前記第１の対応情報の変化を検出し、変化後の対応情報を通知する手段と、通知された前記変化後の対応情報を基に、対応するホスト名とＩＰアドレスとの第２の対応情報を管理する手段と、を備え、前記第２の対応情報を管理する手段は、ユーザからの問合せにより、ホスト名とＩＰアドレスとを相互に変換した情報を提供する。【選択図】　　　図１
2004023155.tif 000002
【特許請求の範囲】
【請求項１】
ＰＰＰ接続環境におけるダイナミック・ドメインネーム・システムであって、
ダイヤルアップ接続したユーザのアカウントと前記ユーザに割り当てたＩＰアドレスとの第１の対応情報を管理する手段と、
前記第１の対応情報の変化を検出し、変化後の対応情報を通知する手段と、
通知された前記変化後の対応情報を基に、対応するホスト名とＩＰアドレスとの第２の対応情報を管理する手段と、からなり、
前記第２の対応情報を管理する手段は、ユーザからの問合せにより、ホスト名とＩＰアドレスとを相互に変換した情報を提供する、ことを特徴とするシステム。
【請求項２】
ＰＰＰ接続環境におけるダイナミック・ドメインネーム・システムであって、
ダイヤルアップ接続時に認証されたユーザに任意のＩＰアドレスを割り当てる第１のサーバと、
前記ユーザをそのアカウントを用いて認証し、そのアカウントと前記割り当てたＩＰアドレスとの第１の対応情報を管理し、前記第１の対応情報の変化を検出したときにはその変化後の対応情報を通知する第２のサーバと、
前記通知された変化後の対応情報を基に、対応するホスト名とＩＰアドレスとの第２の対応情報を管理する第３のサーバと、を備え、
前記第３のサーバは、ユーザからの問合せにより、ホスト名とＩＰアドレスとを相互に変換した情報を提供する、ことを特徴とするシステム。
【請求項３】
さらに、前記第２のサーバ又は前記第３のサーバからの依頼により、前記アカウントから前記ホスト名に変換した情報を提供する第４のサーバを備える、請求項２記載のシステム。
【請求項４】
前記第１のサーバは複数箇所に設置される、請求項２記載のシステム。
【請求項５】
ＰＰＰリンクの切断時には、対応する前記第１及び第２の対応情報が管理情報から抹消される、請求項２記載のシステム。
【請求項６】
前記第３のサーバは、外部のネットワークに公開される、請求項２記載のシステム。
【請求項７】
ＰＰＰ接続環境における動的なドメインネーム・システムの管理方法であって、
ダイヤルアップ接続したユーザをそのアカウントを用いて認証すること、
認証された前記ユーザに任意のＩＰアドレスを割り当てること、
前記アカウントと前記割り当てたＩＰアドレスとの第１の対応情報を管理すること、
前記第１の対応情報の変化を検出すること、
前記検出された変化後の第１の対応情報に基づいて、対応するホスト名とＩＰアドレスとの第２の対応情報を管理すること、
ユーザからの問合せにより、前記第２の対応情報に基づいてホスト名とＩＰアドレスとを相互に変換した情報を提供すること、を特徴とする管理方法。
【請求項８】
さらに、前記第１の対応情報の変化を検出することには、その検出後にアカウントから対応するホスト名に変換することを含む、請求項７記載の方法。
【発明の詳細な説明】
【０００１】
【発明の属する技術分野】
本発明はインターネットやＬＡＮ　（Ｌｏｃａｌ　Ａｒｅａ　Ｎｅｔｗｏｒｋ）　等のＩＰ　（ＩｎｔｅｒｎｅｔＰｒｏｔｏｃｏｌ）　ネットワークにおけるアクセス管理に関し、特にＰＰＰ　（Ｐｏｉｎｔ　ｔｏ　Ｐｏｉｎｔ　Ｐｒｏｔｏｃｏｌ）　を用いてダイヤルアップ接続する端末に対してダイナミックにＩＰアドレスを割り当てると伴に、それと連携してドメインネーム・システム　（ＤＮＳ；Ｄｏｍａｉｎ　Ｎａｍｅ　Ｓｙｓｔｅｍ）　の当該ユーザ登録情報を更新するダイナミック・ドメインネーム・システムに関するものである。
【０００２】
【従来の技術】
企業内ＬＡＮ等においては、ユーザによるＩＰアドレス設定の負荷の軽減やＩＰアドレスの有効利用、又はアドレス管理の容易性からＤＨＣＰ　（Ｄｙｎａｍｉｃ　ＨｏｓｔＣｏｎｆｉｇｕｒａｔｉｏｎ　Ｐｒｏｔｏｃｏｌ）　によるＩＰアドレスの割り当てが広く用いられている。ＤＨＣＰ環境においては、イーサネット上に追加された端末のＭＡＣ　（Ｍｅｄｉａ　Ａｃｃｅｓｓ　Ｃｏｎｔｒｏｌ）　アドレスとそれに動的に割り当てられたＩＰアドレスとの対応関係を自動的に更新登録していくダイナミック・ドメインネーム・システムが存在している（特開２０００−１０１５８９参照）。
【０００３】
また、既存のシステムには、ＰＰＰによるダイヤルアップ接続時にアクセスポイントのサービス・プロバイダ　（ＩＳＰ；　Ｉｎｔｅｒｎｅｔ　Ｓｅｒｖｉｃｅ　Ｐｒｏｖｉｄｅｒ）　が割り当てるＩＰアドレスを取得した後、そのユーザがパーソナルコンピュータ専用のウエブブラウザ等のソフトウェアを起動して加入ＩＳＰのサーバへ接続し、関連するＤＮＳサーバへアクセスして手動操作により又は半自動で端末とＩＳＰから取得したＩＰアドレスと自己のホスト名との対応関係を更新登録していくダイナミック・ドメインネーム・システムのサービスも存在する。
【０００４】
上述したダイナミック・ドメインネーム・システムを利用すれば、通信先であるホスト名から企業内ＬＡＮ又はインターネットのＩＳＰ配下における各端末のＩＰアドレス（プライベートアドレス等）への変換やその取得が可能となる。従って、企業内ＬＡＮのＤＨＣＰサーバやＩＳＰのアクセスサーバ（又はＰＰＰサーバ）が割り当てる不特定のＩＰアドレスを備えた端末に対して、そのネットワーク内部又は外部からホスト名や取得したＩＰアドレスを用いてアクセスすることが可能となる。
【０００５】
【発明が解決しようとする課題】
上述したように、イーサネット上でＤＨＣＰを使用する場合には、ホストに固有のＭＡＣアドレスとＤＨＣＰサーバによって動的に割り当てられるＩＰアドレスとの対応関係が管理できるため、ダイナミック・ドメインネーム・システムを容易に実現できる。しかしながら、現在のリモートアクセスの主流であるＰＰＰを利用したダイヤルアップ接続時にはＤＨＣＰのようなホストに固有のＭＡＣアドレスという概念が存在しないため、ホストとＰＰＰにより動的に割り当てられたＩＰアドレスとの対応関係が一意に定まらないという問題があった。
【０００６】
そのため、ＤＨＣＰを用いたダイナミック・ドメインネーム・システムのように、ホストとそのＩＰアドレスとの対応関係を自動的に更新することができず、ＰＰＰ接続したユーザが、専用ソフトウェアを使用して手動操作や半自動操作によってホスト（端末）とＰＰＰが動的に割り当てるＩＰアドレスとの対応関係をＤＮＳサーバに登録することが行なわれていた。
【０００７】
この場合には、現時点で割り当てられているＩＰアドレスとホスト名との対応関係をＩＳＰのＤＮＳサーバへ登録する処理は全て端末側に依存することになる。例えば、通信中に発生したセッションの切断やその後の再接続等の場合にも全てユーザ依存によりＤＮＳサーバの登録抹消や登録変更等を実施する必要がある。このような操作は一般ユーザにとって煩雑且つ困難であり、たとえ操作が半自動化されていてもＰＰＰ接続したユーザがダイナミック・ドメインネーム・システムを十分に活用することができないという問題があった。
【０００８】
そこで本発明の目的は、上記問題点に鑑み、ＰＰＰを利用したダイヤルアップ接続環境下においてダイナミック・ドメインネーム・システムの十分な活用を図るべく、ＰＰＰが割り当てたＩＰアドレスとホスト名との対応関係を自動的にＤＮＳサーバへ更新登録する仕組みを備えたダイナミック・ドメインネーム・システムを提供することにある。
【０００９】
【課題を解決するための手段】
本発明によれば、ＰＰＰ接続環境におけるダイナミック・ドメインネーム・システムであって、ダイヤルアップ接続したユーザのアカウントと前記ユーザに割り当てたＩＰアドレスとの第１の対応情報を管理する手段と、前記第１の対応情報の変化を検出し、変化後の対応情報を通知する手段と、通知された前記変化後の対応情報を基に、対応するホスト名とＩＰアドレスとの第２の対応情報を管理する手段と、を備え、前記第２の対応情報を管理する手段は、ユーザからの問合せにより、ホスト名とＩＰアドレスとを相互に変換した情報を提供するシステムが与えられる。
【００１０】
前記ＰＰＰ接続環境におけるダイナミック・ドメインネーム・システムは、ダイヤルアップ接続時に認証されたユーザに任意のＩＰアドレスを割り当てる第１のサーバと、前記ユーザをそのアカウントを用いて認証し、そのアカウントと前記割り当てたＩＰアドレスとの第１の対応情報を管理し、前記第１の対応情報の変化を検出したときにはその変化後の対応情報を通知する第２のサーバと、前記通知された変化後の対応情報を基に、対応するホスト名とＩＰアドレスとの第２の対応情報を管理する第３のサーバと、で構成される。
【００１１】
前記第３のサーバは、ユーザからの問合せにより、ホスト名とＩＰアドレスとを相互に変換した情報を提供する。さらにシステムは、前記第２のサーバ又は前記第３のサーバからの依頼により、前記アカウントから前記ホスト名に変換した情報を提供する第４のサーバを備える。
【００１２】
【発明の実施の形態】
図１は、本発明によるＰＰＰを利用したダイヤルアップ接続環境下におけるダイナミック・ドメインネーム・システムの基本的な構成例を示した図である。
ここでは先ず、図１に示される端末や各サーバの一般的な機能動作について説明しておく。端末１０１〜１０ｎは、一般のパーソナルコンピュータやモバイル情報端末又は携帯電話機等であり、公衆電話網や企業の私設網等を介してＩＳＰや企業内ＬＡＮ等のアクセスポイントにＰＰＰを利用したダイヤルアップ接続を行なう。
【００１３】
アクセスサーバ１１は、前記アクセスポイントに配置され、アクセスしてくる各端末１０１〜１０ｎの認証後にサーバ内部に予めプールしてあるＩＰアドレスの１つを割り当てて、認証された端末との間にＰＰＰリンクを確立する。認証サーバ１２は、内部のデータベースに登録してあるユーザ名（アカウント）及びパスワードを使ってアクセスユーザの認証処理を行なう。
【００１４】
変換サーバ１３は、各種登録データ間の変換処理を行なうが、本例ではユーザ名とホスト名との間の変換処理を行なう。ＤＮＳサーバ１４は、ホスト名とホストアドレス（ＩＰアドレス）との対応づけを管理し、端末１０１〜１０ｎからの問合せがあると、問合せのあった宛先ホスト名から対応するホストアドレスを通知し、またその逆に宛先ホストアドレスから対応するホスト名を通知する。これを使って端末同士の通信が可能となる。
【００１５】
次に、本発明の動作について説明する。
図１において、端末１０１が公衆電話網や私設網等を介してアクセスサーバ１１にＰＰＰを利用したダイヤルアップ接続を行なう（２１）。アクセスサーバ１１はアクセスしてきたユーザの認証処理を認証サーバ１２へ依頼する（２２）。
【００１６】
認証サーバ１２は、アクセスユーザから受信したユーザアカウント及びパスワードをサーバ内部のデータベースに登録してあるユーザ名（アカウント）及びパスワードと比較して、一致するものがあればそのアクセスユーザを認証し、認証されたユーザのアクセス許可をアクセスサーバ１１に通知する（２３）。これにより、アクセスサーバ１１は予めプールしてある適当なＩＰアドレスをアクセスしてきた端末１０１に割り当ててそれを通知する（２４）。
【００１７】
本発明では、その後にアクセスサーバ１１がその旨、すなわち認証された端末に割り当てたＩＰアドレスを認証サーバ１２に通知する（２５）。認証サーバ１２は、図１に示すように内部データベースで現時点における接続ユーザ名とＩＰアドレスとの対応関係を管理しており、その関係に変化が生じるとＤＮＳサーバ２６へその旨を通知してデータの登録／変更／削除等の依頼をする（２６）。
【００１８】
ＤＮＳサーバ１４は、ホスト名とホストアドレス（ＩＰアドレス）との対応づけを管理しており、認証サーバ１２から通知されたユーザ名及びホストＩＰアドレスのうちユーザ名とホスト名とが一致する場合は、対応するＩＰアドレスを通知されたものに更新する。一例として、認証サーバ１２から通知されたユーザ名が“ａａａａ”及びＩＰアドレスが“ｐｐｐ．ｑｑｑ．ｒｒｒ．ｓ１”であって、ＤＮＳサーバ１４は処理の際にアルファベットの大文字と小文字とを区別しないものとする。
【００１９】
この場合、ＤＮＳサーバ１４は、通知されたユーザ名“ａａａａ”と内部データベースに登録してあるホスト名“ＡＡＡＡ．ａｂｃ．ｊｐ”のユーザアカウントに相当する部分“ＡＡＡＡ”とが一致すると判断し、ホスト名“ＡＡＡＡ．ａｂｃ．ｊｐ”のＩＰアドレスを、受信したＩＰアドレス“ｐｐｐ．ｑｑｑ．ｒｒｒ．ｓ１”に更新する。なお、“ａｂｃ．ｊｐ”の部分は一般にドメイン名と呼ばれ、そのネットワークの国や組織、又はグループに依存する名前となる。
【００２０】
また、ＤＮＳサーバ１４は、通知されたユーザ名“ａａａａ”と対応するホスト名との対応関係を変換サーバ１３に問合せることもできる（２８）。それにより、変換サーバは内部データベースを参照してユーザ名“ａａａａ”に対応するホスト名“ＡＡＡＡ．ａｂｃ．ｊｐ”をＤＮＳサーバ１４に通知する。
【００２１】
別の例としては、認証サーバ１２が先ず変換サーバ１３に問合せを行い、ユーザ名“ａａａａ”に対応するホスト名“ＡＡＡＡ．ａｂｃ．ｊｐ”を取得してから（２７）、そのホスト名“ＡＡＡＡ．ａｂｃ．ｊｐ”とＩＰアドレス“ｐｐｐ．ｑｑｑ．ｒｒｒ．ｓ１”とをＤＮＳサーバ１４に通知することもできる。
【００２２】
上述した処理によって、ＤＮＳサーバ１４に登録されているホスト名とＩＰアドレスとの関係は、現時点で実際の端末に割り当てられているものと一致する。従って、各端末１０１〜１０ｎは本発明によるＤＮＳサーバ１４に問合せを行なって（２９）、通信先である端末の現時点のＩＰアドレスを取得することにより（３０）、ＰＰＰでダイヤルアップ接続した端末同士や、ネットワーク外部からアクセスしてきた端末との間で通信することが可能となる。
【００２３】
図２〜９には、本発明のいくつかの実施例を示している。
図２は、本発明の第１の実施例を示したものである。
図２には、前述した本発明の基本的な動作シーケンスを示している。先ず、端末１０１がＩＳＰや企業等のアクセスサーバ（ＡＣＣＥＳＳサーバ）１１へＰＰＰを用いたダイヤルアップ接続を行なう（Ｓ１０１）。アクセスサーバ１１は、アクセスユーザから受信したアカウントとパスワードを認証サーバ（図中では一例としてＲＡＤＩＵＳサーバを使用）１２へ通知する（Ｓ１０２）。
【００２４】
認証サーバ１２は、内部データベースを使って認証処理を行ない、その認証結果をアクセスサーバ１１へ返答する（Ｓ１０３及び１０４）。アクセスサーバ１１は、認証されたユーザに予めプールしてあるＩＰアドレスの１つを割り当てる（Ｓ１０５及び１０６）。次に、アクセスサーバ１１は、ユーザアカウントと共に割り当てたＩＰアドレスを認証サーバ１２へ通知してその確認応答を受信する（Ｓ１０７及び１０８）。
【００２５】
それにより、認証サーバ１２は、ユーザアカウントとＩＰアドレスとの関係を登録／更新／削除等により適宜更新し（Ｓ１０９）、登録データに変更が生じた場合には変更が生じたホスト名（アカウント）とＩＰアドレスとをＤＮＳサーバ１４へ通知する（Ｓ１１０）。ＤＮＳサーバ１４は、その通知に基づいて現時点のホスト名とＩＰアドレスとの関係を更新していく（Ｓ１１１）。
【００２６】
また、別の端末１０２によるＰＰＰを利用したダイヤルアップ接続についても上記と同様に処理される（Ｓ１１２〜１２０）。このように、ＤＮＳサーバ１４には現時点における最新のホスト名とＩＰアドレスとの対応関係が自動的に更新登録されていく。
【００２７】
図３には、あるＩＳＰ配下の端末同士や企業内ＬＡＮの端末同士が相互に通信する場合の一例を示している。図２の例のように、ＤＮＳサーバ１４には現時点のホスト名とＩＰアドレスとの対応関係が登録されている（Ｓ２０１）。端末１０２は、通信先である端末１０１のＩＰアドレスを取得するため、ＤＮＳサーバ１４へそのホスト名に対応するＩＰアドレスを問合せる（Ｓ２０２）。
【００２８】
ＤＮＳサーバ１４は、内部データベースによりホスト名に対応するＩＰアドレスを検索し、その結果を端末１０２へ通知する（Ｓ２０３及び２０４）。以降、端末１０２は取得したＩＰアドレスを使って端末１０１との通信を開始する（Ｓ２０５及び２０６）。
【００２９】
図４は、本発明の第２の実施例を示したものである。
本例は、ＩＳＰや企業内ＬＡＮのアクセスポイントが複数個所あって、例えば東京と大阪のように分散している場合を示している。そのため、各アクセスポイントに対応して複数のアクセスサーバ１１−１及び１１−２が設けられる。例えば、東京に在圏する端末１０１はアクセスサーバ１１−１にＰＰＰを利用したダイヤルアップ接続を行い（Ｓ３０１）、また大阪に在圏する端末１０２はアクセスサーバ１１−２にＰＰＰを利用したダイヤルアップ接続を行う（Ｓ３１２）。
【００３０】
本例の認証サーバ１２は、例えば東京のアクセスポイントに１台だけ設けられており、各アクセスサーバ１１−１及び１１−２から問合せのあった認証処理を一元的に管理する（Ｓ３０２〜３０４、及びＳ３１３〜３１５）。その他の処理は、先に説明した図２の実施例と同じである。その結果、図３と同じ手順でＤＮＳサーバ１４から取得したＩＰアドレスを使って、互いに遠隔の地にあるＩＳＰ配下の端末同士や企業内ＬＡＮの端末同士が相互に通信可能となる。
【００３１】
図５は、本発明の第３の実施例を示したものである。
図５には、新たに変換サーバ１３が設けられている。図２の実施例では認証サーバ１２から通知されたアカウントに基づいてＤＮＳサーバ１４がホスト名を特定できることを前提としていた。しかしながら、実際にはエイリアス機能等を利用した「別名」がホスト名の代わりに多く使用されており、必ずしもアカウントがホスト名と１対１に対応していない。このような場合に、変換サーバ１３がアカウントとホスト名との間の変換処理を実行する。
【００３２】
本例では、認証サーバ１２がＤＮＳサーバ１４へアカウント及びＩＰアドレスを通知する前に、アカウントからホスト名への変換処理を変換サーバ１３へ依頼する（Ｓ４０４）。変換サーバ１４は、依頼されたアカウントに対応するホスト名を内部データベースにより検索し、検索されたホスト名を認証サーバに通知する（Ｓ４０５及び４０６）。これにより、認証サーバ１２は検索されたホスト名と対応ＩＰアドレスとをＤＮＳサーバ１４に通知する（Ｓ４０７）。これ以降の処理は図２と同様である。
【００３３】
図６は、本発明の第４の実施例を示したものである。
図５の例では認証サーバ１２が変換サーバ１３へアカウントからホスト名への変換を依頼していた。しかしながら、本例ではＤＮＳサーバ１４が変換サーバ１３へアカウントからホスト名への変換を依頼する（Ｓ５０５）。
【００３４】
図２の実施例では、認証サーバ１２がアカウント及びＩＰアドレスをＤＮＳサーバに通知した際に（Ｓ５０４）、ＤＮＳサーバ１４がそのアカウントからホスト名を特定できない場合も生じ得る。このため、本例ではＤＮＳサーバ１４が変換サーバ１３に依頼してホスト名を取得できるようにしている（Ｓ５０６及び５０７）。これ以降の処理は図２と同様である。
【００３５】
上記変換サーバ１３を用いれば、アカウントとホスト名との間の自動変換が可能となり、各ユーザは複数のアカウントを所有したり、又は自ら選択した別名を使用する等の自由度が大幅に向上する。
【００３６】
図７は、本発明の第５の実施例を示したものである。
本例は、端末１０１とアクセスサーバ１１との間で確立されたＰＰＰセッションが切断された時の処理の一例を示している。アクセスサーバ１１はＰＰＰリンクの切断“×”を検出すると、その旨をアカウントと共に認証サーバ１２へ通知する（Ｓ６０２及び６０３）。認証サーバ１２は、これにより該当するユーザアカウントとＩＰアドレスとの対応を削除し、ホスト／ＩＰの解除通知をＤＮＳサーバ１４に通知する（Ｓ６０４及び６０５）。
【００３７】
ＤＮＳサーバ１４はそれを受けて内部データベースから該当するホスト名とＩＰアドレスとの対応を削除する（Ｓ６０６）。その結果、別の端末１０２が通信先端末１０１のホスト名によるＩＰアドレスの問合せ又はその逆のＩＰアドレスによるホスト名の問合せを行なっても、ＤＮＳサーバ１４は削除処理後にエラーで応答する（Ｓ６０７〜６０９）。
【００３８】
本例によれば、ＰＰＰリンク切断時に同期してＤＮＳサーバ１４のホスト名とＩＰアドレスとの対応を内部データベースから抹消することが可能になる。また同一ユーザの再接続時に新たに割り付けられたＩＰアドレスを登録することも同時に実現可能となる。
【００３９】
図８は、本発明の第６の実施例を示したものである。
本例は小規模ネットワークの一例を示しており、ここではアクセスサーバ１１が認証サーバの機能も併せて実行する。従って、アクセスサーバ１１内部で認証処理とＩＰアドレスの割当て処理とが実行される（Ｓ７０２及び７０３、Ｓ７０８及び７０９）。この場合、アクセスサーバ１１は認証処理に必要な簡易な内部データベースを保有することになる。これ以外の処理は図２等と同様である。
【００４０】
なお、各種サーバは一般にマルチタスク処理が可能な情報処理装置のデーモンプログラムとして実現されるため、本構成に限定されることなくアクセスサーバ１１、認証サーバ１２、変換サーバ、及びＤＮＳサーバ１４等の全てのサーバを１台の情報処理装置で実現することも可能である。
【００４１】
本例によれば、認証サーバを設置しないダイナミックＩＰ割り付けネットワーク環境でもドメインネーム・システムを実現することができ、ホスト名を使用した端末間の相互アクセスが可能になる。
【００４２】
図９は、本発明の第７の実施例を示したものである。
本例は、あるＩＳＰ配下や企業内ＬＡＮの端末にそれらの外部ネットワーク１５からアクセスする場合の一例を示している。これまで述べてきたように、ＰＰＰを利用してダイヤルアップ接続する端末にはアクセスサーバ１１によって任意のＩＰアドレスが割り当てられる。従って、一般には外部ネットワークからその端末に直接アクセスすることはできない。
【００４３】
そのため、本例ではＤＮＳサーバ１４を外部ネットワーク１５に公開することで、外部ネットワーク上の端末からの相互アクセスを可能にしている。すなわち、外部ネットワーク上の端末は公開されたＤＮＳサーバ１４にアクセスし、例えば端末１０１のホスト名から内部のプライベートアドレス等を取得する（Ｓ８１２〜８１４）。
【００４４】
その結果、外部ネットワーク上の端末と内部の端末１０１との間で相互アクセスが可能となる。なお、外部のアドレスとしてグローバルアドレスを使用し、内部のアドレスとしてプライベートアドレスを使用する場合にはその間にプロキシサーバ等を介在させてもよい。
【００４５】
本例によれば、インターネットなど外部のネットワーク環境からも本件で実現するドメインネーム・システムを利用することにより、ホスト名を使用した端末間の相互アクセスが可能になる。これにより、ダイナミックＩＰ割り付け接続環境の端末でサーバを構築し、不特定多数の一般に公開することが可能になる。
【００４６】
【発明の効果】
以上述べたように、本発明によれば、ＰＰＰ接続によるダイナミックＩＰ割り付け環境においてダイナミック・ドメインネーム・システムが構築可能となる。これにより、ユーザアカウントをホスト名としたドメインネーム・システムが実現され、ホスト名を使用した端末間の相互アクセスが可能になる。
【図面の簡単な説明】
【図１】本発明によるＰＰＰダイヤルアップ接続環境におけるダイナミック・ドメインネーム・システムの基本構成例を示した図である。
【図２】本発明の第１の実施例を示した図である。
【図３】図２における端末同士の通信の一例を示した図である。
【図４】本発明の第２の実施例を示した図である。
【図５】本発明の第３の実施例を示した図である。
【図６】本発明の第４の実施例を示した図である。
【図７】本発明の第５の実施例を示した図である。
【図８】本発明の第６の実施例を示した図である。
【図９】本発明の第７の実施例を示した図である。
【符号の説明】
１０１〜１０ｎ…端末
１１…アクセスサーバ
１２…認証サーバ
１３…変換サーバ
１４…ＤＮＳサーバ
１５…外部ネットワーク
【図１】
2004023155.tif 000003
【図２】
2004023155.tif 000004
【図３】
2004023155.tif 000005
【図４】
2004023155.tif 000006
【図５】
2004023155.tif 000007
【図６】
2004023155.tif 000008
【図７】
2004023155.tif 000009
【図８】
2004023155.tif 000010
【図９】
2004023155.tif 000011